(57)【特許請求の範囲】
【請求項１】
バンパにランプがブラケットを介して取り付けられたバンパのランプ取付構造において、
一端部に上記ランプが取り付けられた上記ブラケットの中間部がバンパに回動自在に取り付けられ、
上記ブラケットは、他端部に、該ブラケットの回動中心部との間で三角形配置となるように設けられた一対の係止部を有し、
上記バンパの上記ランプ対応部位に、各々、ランプ取付時におけるブラケット他端部の係止部の回動方向側部が当接してそれ以上の回動を規制するストッパ部と、該ブラケット他端部の係止部の上記ランプに対向する部分が当接してそのランプ側方向への移動を規制する規制部と、を有する一対の張出部が形成されていることを特徴とするバンパのランプ取付構造。
【請求項２】
請求項１において、
上記バンパの上記規制部に対向する部位が開口部に形成されていることを特徴とするバンパのランプ取付構造。
【請求項３】
請求項１又は２において、
上記規制部の上記ブラケット他端部の係止部が当接する部位に、上記ブラケットの取外し方向への回動を抑制する係合部を形成する一方、上記ブラケット他端部の係止部に、該係合部が係合する被係合部を形成したことを特徴とするバンパのランプ取付構造。
【請求項４】
請求項１〜３のいずれかにおいて、
上記バンパにおける上記ブラケットの回動中心部と上記ブラケット他端部との間に対応する部位に、上記ブラケットと当接して上記ブラケット他端部の上記ランプ側方向と逆方向への移動を阻止するリブを突設したことを特徴とするバンパのランプ取付構造。
【請求項５】
請求項１〜３のいずれかにおいて、
上記ブラケットにおける該ブラケットの回動中心部と上記ブラケット他端部との間に、上記バンパと当接して上記ブラケット他端部の上記ランプ側方向と逆方向への移動を阻止するリブを突設したことを特徴とするバンパのランプ取付構造。
【請求項６】
請求項１〜５のいずれかにおいて、
上記ブラケットの回動中心部は、上記バンパの表側から挿通されたボルトをバンパ裏側からナットにより締め付けることにより構成されており、
上記ナットの締付回動方向が、上記ブラケットのランプ取付時における回動方向と同一方向であることを特徴とするバンパのランプ取付構造。
【発明の詳細な説明】
【０００１】
【発明の属する技術分野】
本発明は、バンパのランプ取付構造に関する。
【０００２】
【従来の技術】
自動車のフロントバンパの両側部に凹部を設け、そこにフォグランプ等のランプが取り付けられたバンパのランプ取付構造がある。
【０００３】
かかるバンパのランプ取付構造として、実開平１−１７１７６２号公報には、バンパ本体の裏面側におけるランプ取付穴（凹部）の上方位置に第１のランプ取付部を一体的に形成するとともに、ランプ取付穴の下方位置に第２のランプ取付部を一体的に形成し、ランプ取付穴にランプを嵌め込むようにしてランプの上部を第１ブラケットを介して第１ランプ取付部に固定するとともに、ランプの下部を第２のブラケットを介して第２のランプ取付部に固定したバンパのランプ取付構造が開示されており、かかる構成により、ランプを上下から固定しているので、ランプの取付強度を十分に確保することができる、と記載されている。
【０００４】
また、特開２０００−１１３９号公報には、バンパの開口部内に収容されたフォグランプユニットから上方へ突出された取付片をバンパ内に配設されたブラケットに締結するとともに、フォグランプユニットの背面に設けられた貫通係合部材を開口部の奥部に設けられた立て壁に開口された穴部に貫通係合して開口部内にフォグランプユニットを支持するようにし、さらに、取付片に引掛穴を設けるとともに、その引掛穴と係合してフォグランプユニットを揺動自在に支持可能な爪部をブラケットに設け、その爪部に引掛穴が係合された際に、フォグランプユニットが揺動される軌道を貫通係合部材が穴部に導かれる軌道に設定したフォグランプ取付構造が開示されており、かかる構成により、周辺部品を傷つけることなくバンパにフォグランプユニットを容易に取り付けることができる、と記載されている。
【０００５】
【発明が解決しようとする課題】
しかしながら、上記のようなバンパのランプ取付構造では、ブラケットが２つ必要であったり、ブラケットの他にランプ取付用の貫通係合部材等が必要であったりするため、部品点数が多く且つ構造も複雑となり、そのため、ランプをバンパに取り付けるために多大の組付工数を必要とする、という問題がある。
【０００６】
本発明は、かかる点に鑑みてなされたものであり、その目的とするところは、単一のブラケットを用いることにより多大な組付工数を必要とせず、しかも、ガタ付きを生じることなくランプがバンパに強固に取り付けられたバンパのランプ取付構造を提供することにある。
【０００７】
【課題を解決するための手段】
上記課題を解決するため、本発明は、
バンパにランプがブラケットを介して取り付けられたバンパのランプ取付構造において、
一端部に上記ランプが取り付けられた上記ブラケットの中間部がバンパに回動自在に取り付けられ、
上記ブラケットは、他端部に、該ブラケットの回動中心部との間で三角形配置となるように設けられた一対の係止部を有し、
上記バンパの上記ランプ対応部位に、各々、ランプ取付時におけるブラケット他端部の係止部の回動方向側部が当接してそれ以上の回動を規制するストッパ部と、該ブラケット他端部の係止部の上記ランプに対向する部分が当接してそのランプ側方向への移動を規制する規制部と、を有する一対の張出部が形成されていることを特徴とする。
【０００８】
上記の構成によれば、単一のブラケットを左右のランプの取り付けに共用することができ、また、そのブラケットのみを用いるだけでランプをバンパに容易に取り付けることができ、さらに、その取付構造も簡単なものであるので、従来よりも、部品点数の低減が図られるとともに、ランプをバンパに取り付けるための組付工数が低減されることとなる。
【０００９】
また、ブラケットがバンパに回動自在に取り付けられるとともに、ブラケット他端部の係止部のブラケット取付回動方向側部がストッパ部に当接してその回動が規制されることによりブラケットの過剰な回動が規制され、その結果ランプの取付位置がずれることなく高精度に取り付けることができ、さらに、ブラケット他端部の係止部のランプに対向する部分が規制部に当接してランプ側方向への移動が規制されることによりブラケットの同方向への移動が規制されることとなるので、ガタ付きが生じることなくブラケット及びランプが強固にバンパに取り付けられることとなる。
【００１０】
ここで、バンパの規制部に対向する部位が開口部に形成されていることが好ましい。一般に、バンパは溶融樹脂を一対の金型によって構成されるキャビティに射出する射出成形によって成形されるが、張出部を成形するための構成をいずれか一方の金型のみに設けた場合、成形後に張出部がその金型に引っ掛かって射出成形体の取り出しが困難となってしまうため、これを防止するためにスライド型を設けることも考えられるが、成形型の構造が複雑になり、コスト高となるのに対し、一方の金型に凹部を形成し且つ他方の金型のその凹部に対向する部分に凸部を形成するようにし、上記構成のような規制部の対向部位を開口部に形成するようにして張出部を成形するようにすれば、成形型がコスト高となることなく、かつ射出成形体を容易に取り出すことができることとなる。また、ランプ取付時にブラケットを回動させる際、ブラケット他端部先端を斜め方向から一旦開口部の方に導くようにすれば、ブラケット他端部と張出部との干渉が防止され、ブラケット他端部の回動方向端部をストッパ部に当接させるとともに、ランプに対向する部分を規制部に当接させる作業性が良好なものとなる。
【００１１】
また、規制部のブラケット他端部の係止部が当接する部位に、ブラケットの取外し方向への回動を抑制する係合部を形成する一方、ブラケット他端部の係止部に、その係合部が係合する被係合部を形成することが好ましい。かかる構成によれば、ブラケットの取外し方向への回動が抑制されるので、ブラケットのバンパへの取付状態がより強固なものとなる。具体的には、規制部及びブラケット他端部の係止部のいずれか一方に突条等の係合突起を設けるとともに、他方にその係合突起に係合する凹部を設けるようにすればよい。
【００１２】
さらに、バンパにおけるブラケットの回動中心部とブラケット他端部との間に対応する部位に、ブラケットと当接してブラケット他端部のランプ側方向と逆方向への移動を阻止するリブを突設することが好ましい。かかる構成によれば、リブがブラケット他端部のランプ側方向と逆方向への移動を阻止し、ブラケット他端部の規制部への当接が維持されることとなるので、ブラケットのバンパへの取付状態が一層強固なものとなる。同様の作用効果は、ブラケットにおけるブラケットの回動中心部とブラケット他端部との間に、バンパと当接してブラケット他端部のランプ側方向と逆方向への移動を阻止するリブを突設するようにしても得ることができる。
【００１３】
また、ブラケットの回動中心部は、バンパの表側から挿通されたボルトをバンパ裏側からナットにより締め付けることにより構成されており、そして、ナットの締付回動方向が、ブラケットのランプ取付時における回動方向と同一方向であることが好ましい。かかる構成によれば、最終的にナットを締め付けてブラケットを固定する際に、ブラケット他端部の回動方向側部がストッパ部に当接した状態が維持されるので、ランプの取付位置が一層高精度となるとともにブラケット他端部が張出部から外れることがなく、しかも、ナットを締め付ける作業性が良好なものとなる。
【００１４】
【発明の効果】
以上説明したように、本発明によれば、単一のブラケットを左右のランプの取り付けに共用することができ、また、そのブラケットのみを用いるだけでランプをバンパに容易に取り付けることができ、さらに、その取付構造も簡単なものであるので、従来よりも、部品点数の低減を図ることができるとともに、ランプをバンパに取り付けるための組付工数及びバンパの成形型のコストをも低減させることができる。
【００１５】
また、ブラケットがバンパに回動自在に取り付けられるとともに、ブラケット他端部の係止部のブラケット取付回動方向側部がストッパ部に当接してその回動が規制されることによりブラケットの過剰な回動が規制され、さらに、ブラケット他端部の係止部のランプに対向する部分が規制部に当接してランプ側方向への移動が規制されることによりブラケットの同方向への移動が規制されることとなるので、ガタ付きを生じさせることなくランプをブラケットを介してバンパに強固に取り付けることができる。
【００１６】
【発明の実施の形態】
以下、本発明の実施形態を図面に基づいて詳細に説明する。
【００１７】
図１は、本発明の実施形態に係るバンパのランプ取付構造が設けられる自動車のバンパの右側（自動車の前進方向の右側）部分の正面図である。図２は、そのバンパのランプ取付構造の正面図である。図３は、図２におけるＡ−Ａ断面図である。
【００１８】
このバンパのランプ取付構造は、図１〜３に示すように、フロントバンパ１の車幅方向左右に設けられているランプ取付用凹部２にブラケット３を介してフォグランプ４を取り付けたものである。
【００１９】
ブラケット３は、略逆二等辺三角形状の弾性板材によりブラケット本体５が形成されている。また、略逆二等辺三角形状のブラケット本体５の頂角部５ａ（図２の下方）から車体前方（図３の左方向）に突出して延びるように細長板状のランプ取付部６が一体的に形成されており、それがブラケット３の一端部を構成している。さらに、略逆二等辺三角形状のブラケット本体５の底辺部５ｂがブラケットの他端部を構成しており、上記底辺部５ｂの両底角部５ｃ、５ｄに長方形板状片の係止部７，７がそれぞれ一体的に形成されている。
【００２０】
ブラケット本体５は、頂角部５ａが後方側となり且つ底辺部５ｂが前方側となるように略中央部に段が形成されている。そして、頂角部５ａは、ランプ取付用凹部２の底部である縦壁部２ａに当接し、表側よりブラケット本体５を貫通し、該ブラケット本体５に溶着された右ネジのボルト８が表側より上記縦壁部２ａのボルト穴１５に挿通されて該縦壁部２ａ裏面でナット９により締め付けられ、これによって、ブラケット３がそのボルト８位置を回動中心としてバンパ１に回動自在に取り付けられた状態となっている。また、底辺部５ｂは、縦壁部２ａとの間に間隙を形成しているものの、その底辺部５ｂに対応するように、ボルト８位置を中心とした円弧状のリブ１０が縦壁部２ａに突設されており、そのリブ１０先端が底辺部５ｂの裏面に当接し、これによって、ブラケット３の後方（ランプ側方向と逆方向）への移動が規制されている。
【００２１】
ランプ取付部６は、その先端が「ロ」の字状に折り曲げられた筒状部６ａに形成され、その筒状部６ａの両端がランプ４下部に突設された一対の取付片４ａ，４ａにより挟持されるとともに、取付片４ａ，４ａに設けられたネジ棒挿通孔と筒状部６ａとを貫通するようにランプ取付用ネジ棒１１が挿通され、それをランプ取付用ナット１２で締め付けることにより、ランプ４がブラケット３に取り付けられている。また、ランプ４は上記ネジ棒１１に軸支されており、ネジ棒１１を軸としたランプ４の向きの調整が可能となっている。なお、ランプ４の形状は円形であり、バンパ１に設けられているランプ取付用凹部２の開口形状もまたその形状に対応した円形である。
【００２２】
各係止部７，７は、図２に示すようにブラケット３の取付回動方向（図２において反時計回り方向）を略直角に横切る短辺部７ａと、ブラケット３の回動方向に大略沿う長辺部７ｂとからなる平面視略矩形状をなし、図２及び図４に示すような後述の張出部１３，１３に収容されている。また、係止部７の一対の短辺部７ａのうちブラケット３の取付回動方向側の短辺部７ａには、図５に示すように、後方（裏側）に折曲した折曲部７ｃが形成されており、これによって、ボルト８位置を回動中心として図２における左側方向（ブラケット取付方向）にブラケット３を回動させた際に、係止部７の折曲部７ｃが張出部１３側部の開口端から容易に進入できるようになっているとともに上記折曲部７ｃは張出部１３に当接して係止部７がそれ以上ブラケット取付方向に回動するのを規制するようになっている。一方、上記張出部１３は、ブラケット３の回動方向に沿う壁部１３ａと、ブラケット３の取付回動方向を略直角に横切り上記係止部７の折曲部７ｃが当接するストッパ部１３ｂと、上記壁部１３ａ及びストッパ部１３ｂに連続して一体形成され、上記ブラケット３の係止部７の前面側が当接し、該係止部７の前方（ランプ側方向）への移動を規制する規制部１３ｃとで構成されている。さらに、その規制部１３ｃには後方に突出し且つストッパ部１３ｂに沿うように延びる係合突条１３ｄが設けられている一方、ブラケット３の係止部７には上記係合突条１３ｄに対応するように係合凹溝７ｄが設けられており、この係合突条１３ｄと係合凹溝７ｄとが係合することにより、係止部７の図２における右側方向（ブラケット取り外し方向）への移動が規制され、これによって、ブラケット３の同方向への回動が抑制されている。以上のような構成により、張出部１３に係止部７が係止されることとなり、ブラケット３のボルト８位置を回動中心とするブラケット取付方向及び取り外し方向への回動及び前方（ランプ側方向）への移動が規制されている。
【００２３】
バンパ１の縦壁部２ａには、ボルト８位置を中心とした弧状長穴の開口部１４が、張出部１３のストッパ部１３ｂを起点としてブラケット３の係止部７のブラケット取り外し方向に延びるように設けられている。
【００２４】
なお、図３において、バンパ１のランプ取付用凹部２の下部壁に開口した調製口１ａは、ランプ４の上下方向の傾斜角を調整作業するためのものである。また、上記実施形態では、ランプをバンパの右側部分に取り付ける場合を示したが、ランプをバンパの左側部分に取り付ける場合も、上記実施形態と全く同一である。
【００２５】
次に、バンパ１へのランプ４の取り付け方法について説明する。
【００２６】
まず、予めボルト８が取り付けられたブラケット３のランプ取付部６にランプ４を取り付ける。
【００２７】
次いで、ランプ４を取り付けたブラケット３をバンパ１の表側からランプ取付用凹部２に挿入するとともに、図６に示すように、ランプ取付用凹部２の縦壁部２ａに設けられたボルト穴１５にボルト８を挿通する。これにより、ブラケット３は、ボルト８位置を回動中心として縦壁部２ａに回動自在に取り付けられた状態となる。
【００２８】
次いで、図７に示すように、ブラケット３を右に回動させた状態から図２における左側方向（図７に矢印で示すブラケット取付方向）に回動させ、係止部７を張出部１３に右側方から進入させる。このとき、ブラケット３の底辺部５ｂを後方に倒すようにし、係止部７が開口部１４に導入された状態としてブラケット３を左側方向に回動させ、係止部７が張出部１３に干渉しないようにする。
【００２９】
そして、係止部７の折曲部７ｃから張出部１３に回動進入を開始して、折曲部７ｃがストッパ部１３ｂに当接した時点でブラケット３の回動を停止し、ナット９をボルト８に螺合してブラケット３が強固に上記縦壁部２ａに固定されるように締め込む。このとき、ナット９の締付回動方向は、ブラケット３の取付回動方向と同一方向であるため、上記折曲部７ｃがストッパ部１３ｂ内側に圧接される。また、係止部７に設けられた係合凹溝７ｄと規制部１３ｃ裏側に設けられた係合突条１３ｄとが係合することとなる。さらに、縦壁部２ａに立設されたリブ１０がブラケット本体５の底辺部５ｂの背面に当接することとなる。
【００３０】
最後に、バンパ１に開口された調製口１ａからナット１２を操作してランプ４の上下方向の傾斜角を調製する。
【００３１】
上記構成のバンパのランプ取付構造によれば、単一のブラケット３を左右のランプ４の取り付けに共用することができ、また、そのブラケット３のみを用いるだけでランプ４をバンパ１に容易に取り付けることができ、さらに、その取付構造も簡単なものであるので、従来よりも、部品点数の低減が図られるとともに、ランプ４をバンパ１に取り付けるための組付工数が低減されることとなる。
【００３２】
また、ブラケット３がバンパ１に回動自在に取り付けられるとともに、係止部７がバンパ１に形成された張出部１３に回動進入し、張出部１３においては、折曲部７ｃがストッパ部１３ｂに当接して係止部７の図２における左側方向（ブラケット取付方向）への回動が規制され、係止部７の前面側が規制部１３ｃに当接して係止部７の前方（ランプ側方向）への移動が規制されることとなり、また、規制部１３ｃの内側に設けられた係合突条１３ｄが係止部７に設けられた係合凹溝７ｄに係合して係止部７の図２における右側方向（ブラケット取外し方向）への回動が規制されることとなり、さらに、縦壁部２ａに立設されたリブ１０の先端がブラケット本体５の底辺部５ｂ背面に当接してブラケット３の後方（ランプ側方向と逆方向）への移動が阻止され、係止部７の規制部１３ｃへの当接が維持されることとなることとなることから、ブラケット３のバンパ１への取付状態は極めて強固なものとなり、ガタ付きが生じることなくブラケット３及びランプ４がバンパ１に取り付けられることとなる。
【００３３】
さらに、張出部１３の規制部１３ｃ後方の縦壁部２ａに開口部１４が設けられているので、ランプ取付時にブラケット３を回動させる際、係止部７先端を斜め方向から一旦開口部１４の方に導くようにすれば、係止部７と張出部１３との干渉が回避され、係止部７の折曲部７ｃをストッパ部１３ｂに容易に当接させることができるとともに、係止部７の前面側を規制部１３ｃに当接させる作業性が良好なものとなる。加えて、バンパ１を射出成形により成形する場合、射出成形用の一対の金型のうち一方の金型に凹部を設け且つ他方の金型のその凹部に対向する部分に凸部を設け、開口部１４が形成できるような金型構成で張出部１３を成形するようにすれば、スライド型を有しない金型が使用でき、低コストで成形することができることとなる。
【００３４】
そして、ナット９のボルト８に対する締付回動方向が、ブラケット３のランプ取付時における回動方向と同一方向であるので、係止部７を張出部１３に進入させた後、最終的にナット９を締め付けて固定する際に、係止部７の折曲部７ｃがストッパ部１３ｂに圧接された状態が維持され、係止部７が張出部１３から外れることがなく、しかも、ナット９を締め付ける作業性が良好なものとなる。
【００３５】
なお、上記実施形態では、規制部１３ｃに係合突条１３ｄを設け、該係合突条１３ｄと係合する係合凹溝７ｄを係止部７の前面側に設けたが、特にこれに限定されるものではなく、規制部１３ｃに係合凹溝を設けるとともに該係合凹溝と係合する係合突条を係止部７の前面側に設けるようにしてもよい。
【００３６】
また、上記実施形態では、ブラケット本体の底辺部５ｂ裏面に当接するリブ１０を縦壁部２ａに突設したが、縦壁部２ａに当接するリブを底辺部５ｂに突設するようにしてもよい。
【００３７】
また、上記実施形態では、ブラケット本体５に一対の係止部７，７を形成したが、係止部７は１つであってもよい。この場合、ブラケット本体は三角形状とせず矩形状とすることもできる。
【００３８】
さらに、上記実施形態では、バンパ１の縦壁部２ａに、張出部１３の規制部１３ｃに対応する部分及び該部分よりランプ取り外し方向にわたって連続した開口部１４を形成したが、上記規制部１３ｃに対応しない部分の開口部は必ずしも形成しなくてもよい。
【図面の簡単な説明】
【図１】  本発明の実施形態に係るバンパのランプ取付構造が設けられる自動車のバンパの右側部分の正面図である。
【図２】  本発明の実施形態に係るバンパのランプ取付構造の正面図である。
【図３】  図２におけるＡ−Ａ断面図である。
【図４】  張出部の斜視図である。
【図５】  図２におけるＢ−Ｂ断面図である。
【図６】  ブラケットのバンパへの取り付け方法を示す説明図である。
【図７】  ブラケット回動前のバンパのランプ取付構造の正面図である。
【符号の説明】
１  バンパ
１ａ  調製口
２  ランプ取付用凹部
２ａ  縦壁部
３  ブラケット
４  ランプ
４ａ  取付片
５  ブラケット本体
５ａ  頂角部
５ｂ  底辺部
５ｃ，５ｄ  底角部
６  ランプ取付部
６ａ  筒状部
７  係止部
７ａ  短辺部
７ｂ  長辺部
７ｃ  折曲部
７ｄ  係合凹溝
８  ボルト
９  ナット
１０  リブ
１１  ランプ取付用ネジ棒
１２  ランプ取付用ナット
１３  張出部
１３ａ  壁部
１３ｂ  ストッパ部
１３ｃ  規制部
１３ｄ  係合突条
１４  開口部
１５  ボルト穴
【図１】
0003870017.tif 000002
【図２】
0003870017.tif 000003
【図３】
0003870017.tif 000004
【図４】
0003870017.tif 000005
【図５】
0003870017.tif 000006
【図６】
0003870017.tif 000007
【図７】
0003870017.tif 000008